【手続補正書】
【提出日】平成27年4月14日(2015.4.14)
【手続補正１】
【補正対象書類名】特許請求の範囲
【補正対象項目名】全文
【補正方法】変更
【補正の内容】
【特許請求の範囲】
【請求項１】
ポリマー組成物であって、
１若しくはそれ以上のポリホスホネートまたは１若しくはそれ以上のコポリホスホネートと、
１若しくはそれ以上のスルホン酸塩と
を有するポリマー組成物。
【請求項２】
請求項１記載のポリマー組成物であって、さらに、
１若しくはそれ以上のポリカーボネートを有するポリマー組成物。
【請求項３】
請求項１記載のポリマー組成物であって、さらに、
１若しくはそれ以上の追加のポリマーまたはプラスチックを有するポリマー組成物。
【請求項４】
請求項１記載のポリマー組成物において、前記１若しくはそれ以上のコポリホスホネートは、ブロックコポリ（ホスホネートカーボネート）、ランダムコポリ（ホスホネートカーボネート）、ブロックコポリ（ホスホネートエステル）、ランダムコポリ（ホスホネートエステル）、およびそれらの組み合わせから成る群から選択されるものであるポリマー組成物。
【請求項５】
請求項１記載のポリマー組成物において、前記１若しくはそれ以上のポリホスホネートは、ポリスチレン基準で約１０、０００を超える重量平均分子量（Ｍｗ）を示すものであるポリマー組成物。
【請求項６】
請求項１記載のポリマー組成物において、前記１若しくはそれ以上のポリホスホネートは、少なくとも１００℃のガラス転移点（Ｔｇ）を示すものであるポリマー組成物。
【請求項７】
請求項１記載のポリマー組成物において、前記１若しくはそれ以上のポリホスホネートは、少なくとも１．１の相対粘度を示すものであるポリマー組成物。
【請求項８】
請求項１記載のポリマー組成物において、前記１若しくはそれ以上ポリホスホネートは、ビスフェノールＡ、またはビスフェノールＡと他のビスフェノールとの混合物から調製されるものであるポリマー組成物。
【請求項９】
請求項１記載のポリマー組成物において、前記１若しくはそれ以上のポリホスホネートは、分岐ポリホスホネート、線状ポリホスホネート、環状ポリホスホネート、または架橋結合ポリホスホネートを有するものであるポリマー組成物。
【請求項１０】
請求項１記載のポリマー組成物において、前記１若しくはそれ以上のコポリホスホネートは、コポリ（ホスホネートカーボネート）全体重量の約１％〜約１５％のホスホネート含有量を有するものであるポリマー組成物。
【請求項１１】
請求項１記載のポリマー組成物において、前記１若しくはそれ以上のコポリホスホネートは、ポリスチレン基準で約１０，０００ｇ／モル〜約１００，０００ｇ／モルの重量平均分子量（Ｍｗ）および約２〜約７の分子量分布（Ｍｗ／Ｍｎ）を示すものであるポリマー組成物。
【請求項１２】
請求項１記載のポリマー組成物において、前記１若しくはそれ以上のコポリホスホネートは、約１．１〜約１．５の相対粘度を示すものであるポリマー組成物。
【請求項１３】
請求項１記載のポリマー組成物において、前記１若しくはそれ以上のポリホスホネートまたはコポリホスホネートは、重量で約０．１５％未満の総酸性成分を有する選択的に置換されたジアリールアルキルホスホネートから調製されるものであるポリマー組成物。
【請求項１４】
請求項１記載のポリマー組成物において、前記コポリホスホネートは、ポリスチレン基準で約２，０００ｇ／モル〜約２０，０００ｇ／モルの分子量（Ｍｗ）を有するホスホネートオリゴマーを有するものであるポリマー組成物。
【請求項１５】
請求項１記載のポリマー組成物において、前記スルホン酸塩は、ジフェニルスルホンスルホン酸カリウム（ＫＳＳ）およびトリクロロベンゼンスルホン酸ナトリウム（ＳＴＢ）、ぺルフルオロブタンスルホン酸カリウム（ＫＰＦＢＳ）、ｐ−トルエンスルホン酸ナトリウム（ＮａＴＳ）、ポリ（スチレンスルホン酸ナトリウム）、２，４，５−トリクロロベンゼンスルホン酸カリウム、およびそれらの組み合わせから成る群から選択されるものであるポリマー組成物。
【請求項１６】
請求項１記載のポリマー組成物において、前記スルホン酸塩は、ポリマー組成物全体の約０．０１ｗｔ．％〜約１．０ｗｔ．％を有するものであるポリマー組成物。
【請求項１７】
請求項１記載のポリマー組成物であって、さらに、
１若しくはそれ以上の共添加物を有し、前記１若しくはそれ以上の共添加物は、オクタフェニルシクロテトラシロキサン、ポリ（メチルシロキサン）、ポリ（メチルフェニルシロキサン）、ハロゲン化有機添加物、テトラブロモベンゼン、ヘキサクロロベンゼン、ヘキサブロモベンゼン、ビフェニル、２，２'−ジクロロビフェニル、２，４'−ジブロモビフェニル、２，４'−ジクロロビフェニル、ヘキサブロモビフェニル、オクタブロモビフェニル、デカブロモビフェニル、２〜１０のハロゲン原子を含むハロゲン化ジフェニルエーテル、およびそれらの組み合わせから成る群から選択されるものであるポリマー組成物。
【請求項１８】
請求項１７記載のポリマー組成物において、前記共添加物は、前記ポリマー組成物全体の１．０ｗｔ．％未満を有するものであるポリマー組成物。
【請求項１９】
請求項１記載のポリマー組成物であって、さらに、
シリコン含有化合物を有し、前記シリコン含有化合物は、オクタフェニルシクロテトラシロキサン、ポリメチルフェニルシロキサン、ポリメチルフェニルメトキシシロキサン、ポリ（フェニルシルセスキオキサン）、およびそれらの組み合わせから成る群から選択されるものであるポリマー組成物。
【請求項２０】
請求項１９記載のポリマー組成物において、前記シリコン含有化合物は、前記ポリマー組成物全体の約０．００１ｗｔ．％〜約１．０ｗｔ．％を有するものであるポリマー組成物。
【請求項２１】
請求項１記載のポリマー組成物であって、さらに、
アンチドリッピング剤を有し、前記アンチドリッピング剤は、フッ素化ポリオレフィン、ポリテトラフルオロエチレン、スチレン−アクリロニトリル共重合体（ＴＳＡＮ）、およびそれらの組み合わせから成る群から選択されるものであるポリマー組成物。
【請求項２２】
請求項２１記載のポリマー組成物において、前記アンチドリッピング剤は、前記ポリマー組成物全体の約０．００１ｗｔ．％〜約１．０ｗｔ．％を有するものであるポリマー組成物。
【請求項２３】
請求項１記載のポリマー組成物であって、さらに、
追加のポリマーまたはエンジニアリングプラスチックを有し、前記追加のポリマーまたはエンジニアリングプラスチックは、ポリアクリロニトリル、ポリスチレン、ポリアミド、ガラスまたは非ガラスで充填されたポリアミド（ＰＡ）６、ＰＡ６．６、ＰＡ４．６、ガラスまたは非ガラスで充填されたポリエチレンテレフタラート（ＰＥＴ）、ガラスまたは非ガラスで充填されたポリブチレンテレフタラート（ＰＢＴ）、ポリ（トリメチレンテレフタラート）、ポリウレタン、ポリ尿素、ポリエポキシ、ポリイミド、ポリアリレート、ポリ（アリーレンエーテル）、ポリエチレン、ポリエチレンオキシド、ポリフェニレンサルファイド、ポリプロピレン、ポリフェニレンオキシド（ＰＰＯ）、ポリ（ビニルエステル）、ポリ塩化ビニル、ビスマレイミドポリマー、ポリ無水物、ポリアクリロニトリルブタジエンスチレン共重合体（ＡＢＳ）、ＡＢＳ／ＰＣｓ、高衝撃性ポリスチレン（ＨＩＰＳ）、ＰＰＯ／ＨＩＰＳ、液晶性ポリマー、セルロース高分子、およびそれらの組み合わせから成る群から選択されるものであるポリマー組成物。
【請求項２４】
請求項１記載のポリマー組成物であって、さらに、
１若しくはそれ以上のエポキシまたはポリエポキシを含むポリマー組成物。
【請求項２５】
請求項１記載のポリマー組成物であって、さらに、
１若しくはそれ以上の追加成分または添加物を有し、前記１若しくはそれ以上の追加成分または添加物は、充填剤、繊維、界面活性剤、有機結合剤、高分子接着剤、架橋形成剤、結合剤、アラミド繊維、潤滑剤、ペンタエリトリトールテトラステアラートなどの離型剤、核形成剤、導電ブラック、炭素繊維、カーボンナノチューブなどの帯電防止剤、およびポリアルキレンエーテル、スルホン酸アルキル、ポリアミド含有ポリマーなどの有機帯電防止剤、触媒、着色剤、インク、色素剤、酸化防止剤、安定剤、衝撃剤、難燃剤、および類似のもの、ならびに任意のそれらの組み合わせから成る群から選択されるものであるポリマー組成物。
【請求項２６】
請求項２５記載のポリマー組成物において、前記１若しくはそれ以上の追加成分または添加物は、ポリマー組成物全体の約０．００１ｗｔ．％〜約３０ｗｔ．％を有するものであるポリマー組成物。
【請求項２７】
請求項１記載のポリマー組成物であって、さらに、
補強材を有し、前記補強材は、ガラス、カーボン、シリコン炭化物の連続繊維、織繊維、または短繊維、有機繊維、およびそれらの組み合わせから成る群から選択されるものであるポリマー組成物。
【請求項２８】
請求項１記載のポリマー組成物において、前記スルホン酸塩は、２，５−ジフルオロベンゼンスルホン酸ナトリウム、２，４，５−トリブロモベンゼンスルホン酸ナトリウム、ｐ−ヨードベンゼンスルホン酸ナトリウム、２，４−ジブロモ−５−フルオロベンゼンスルホン酸ナトリウム、２，５−ジクロロベンゼンスルホン酸カルシウム、２，５−ジクロロベンゼン−１，３−ジスルホン酸ジナトリウム、４，４'−ジブロモビフェニル−３−スルホン酸ナトリウム、１，４−ジクロロナフタレン−ｘ，ｙ−ジ−スルホン酸ジナトリウム、２，２−ジクロロ−１，１−ビス（４'クロロ−フェニル）エチレン−３'，３''−ジスルホン酸ジナトリウム、２，４−ジニトロベンゼンスルホン酸ナトリウム、２−クロロ−５−ニトロベンゼンスルホン酸カルシウム、３−（トリフルオロメチル）ベンゼンスルホン酸カルシウム、３−ブロモ−５−（トリフルオロメチル）ベンゼンスルホン酸ナトリウム、２，４，５−トリクロロベンゼンスルホン酸リチウム、ｐ−ブロモベンゼンスルホン酸リチウム、２，４，５−トリクロロベンゼンスルホン酸バリウム、４−クロロ−３−ニトロベンゼンスルホン酸カリウム、２，４，５−トリクロロベンゼンスルホン酸マグネシウム、２，４，５−トリクロロベンゼンスルホン酸ストロンチウム、２−クロロ−４−シアノベンゼンスルホン酸ナトリウム、３−クロロ−４−メチルベンゼンスルホン酸カルシウム、４−クロロ−３−メチルベンゼンスルホン酸ナトリウム、３，５−ジクロロ−２メチルベンゼンスルホン酸ナトリウム、３−（トリフロロメチル）−５−（ａｒ−ペンタクロロベンジル）ベンゼンスルホン酸ナトリウム、２−クロロ−４−（トリフルオロビニル）ベンゼンスルホン酸ナトリウム、４'−ブロモ−α，α−ジクロロスチルベンスルホン酸ナトリウム、テトラキス（４−クロロフェニル）エチレン−３−スルホン酸カリウム、４，２'，３'，４'，５'，６'，４''−へプタクロロトリフェニルメタン−３−スルホン酸ナトリウム、１，１，１−トリクロロ−２−（４'−シアノフェニル）−２−（４−クロロフェニル）エタンスルホン酸ジナトリウム、２，２−ビス（４'−クロロフェニル）−ヘキサフルオロプロパン−３'−スルホン酸ナトリウム、９，１０−ジクロロアントラセンスルホン酸リチウム、１，３，６，８−テトラクロロピレン−４−スルホン酸ナトリウム、２，３−ジクロロベンゼンスルホン酸ナトリウム、２，３，４トリクロロベンゼンスルホン酸ナトリウム、ペンタクロロベンゼンスルホン酸ナトリウム、２，３，５，６−テトラクロロベンゼンスルホン酸ナトリウム、２，３，４，５−テトラブロモベンゼンスルホン酸ナトリウム、２，４，６−トリクロロベンゼン−１，３，５−トリスルホン酸トリナトリウム、ｐ−フルオロベンゼンスルホン酸、２，３，４，５−テトラフルオロベンゼンスルホン酸、ペンタフルオロベンゼンスルホン酸、ｐ−クロロベンゼンスルホン酸、２，４−ジクロロベンゼンスルホン酸、ｐ−ブロモベンゼンスルホン酸、２，５−ジブロモベンゼンスルホン酸、２−ブロモ−４−クロロベンゼンスルホン酸、２−クロロ−４−ブロモベンゼンスルホン酸、２−ブロモ−５−クロロベンゼンスルホン酸、２−クロロ−５−ブロモベンゼンス���ホン酸、２，３，４−トリクロロベンゼンスルホン酸、２，４，６−トリクロロベンゼンスルホン酸、２，３，４，５−テトラクロロベンゼンスルホン酸、２，３，５，６−テトラクロロベンゼンスルホン酸、２，３，４，６−テトラクロロベンゼンスルホン酸、ペンタクロロベンゼンスルホン酸、１−クロロナフタレン−ｘ−スルホン酸、１，ｘ−ジクロロナフタレン−ｙ−スルホン酸、１−ブロモナフタレン−ｘ−スルホン酸、及び４，５−ジクロロベンゼン−１，３−ジスルホン酸から成る群から選択されるものであるポリマー組成物。
【手続補正２】
【補正対象書類名】明細書
【補正対象項目名】０００１
【補正方法】変更
【補正の内容】
【０００１】
関連出願書類の相互参照
本出願は、２０１１年４月１４日付けで出願された米国仮特許出願第６１／４７５，５００号の発明の名称「ポリホスホネートおよびコポリ（ホスホネートカーボネート）の加法混合物（ＰＯＬＹＰＨＯＳＰＨＯＮＡＴＥ  ＡＮＤ  ＣＯＰＯＬＹ（ＰＨＯＳＰＨＯＮＡＴＥ  ＣＡＲＢＯＮＡＴＥ）ＡＤＤＩＴＩＶＥ  ＭＩＸＴＵＲＥＳ）」に基づく優先権を主張するものであり、この参照によりその全体が本明細書に組み込まれる。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第３，９４０，３６６号明細書
（特許文献２）  米国特許第４，３３１，６１４号明細書
（特許文献３）  米国特許第６，３４６，５７４号明細書
（特許文献４）  米国特許第６，５１８，３４７号明細書
（特許文献５）  米国特許第６，８６１，４９９号明細書
（特許文献６）  米国特許第７，６４５，８５０号明細書
（特許文献７）  米国特許第７，８１６，４８６号明細書
（特許文献８）  米国特許出願公開第２００７／０１２９５１１号明細書
（特許文献９）  米国特許出願公開第２００７／０２０３２７５号明細書
（特許文献１１）  米国特許出願公開第２００９／００４３０１３号明細書
（特許文献１２）  米国特許出願公開第２０１０／０２９８４７５号明細書
（非特許文献）
（非特許文献１）  Ｃｏｔｔｅｒ，ｅｔ  ａｌ．，Ｅｎｇｉｎｅｅｒｉｎｇ  Ｐｌａｓｔｉｃｓ：  Ａ  Ｈａｎｄｂｏｏｋ  ｏｆ  Ｐｏｌｙａｒｙｌｅｔｈｅｒｓ，Ｇｏｒｄｏｎ  ａｎｄ  Ｂｒｅａｃｈ  Ｓｃｉｅｎｃｅ  Ｐｕｂｌ．Ｓ．Ａ．，Ｓｗｉｔｚｅｒｌａｎｄ（１９９５）（ＴＯＣ）．